(57)【要約】【課題】シート状媒体をジャミング状態に陥らせることなく確実に媒体収納部に送り込むことのできる小切手収納装置を提案すること。【解決手段】小切手収納装置１０は、小切手４を第１小切手収納部１１に送り込む第１送り込みローラ４９と押さえローラ８０を備え、第１送り込みローラ４９は両端が大径であり、それらの間のローラ本体４９ａには、小径の押さえローラ８０が押し付けられている。これらの小切手挟み込み位置４９Ａを通って小切手収納部１１に送り込まれる小切手４は、「く」の字状に折り曲げられ、面外剛性が高い「腰」のある状態で押さえ板７４を押し出しながら小切手収納部１１に送り込まれる。従って、小切手４が小切手挟み込み位置４９Ａと小切手収納部１１の間でジャミング状態に陥ることを防止できる。【選択図】図８
2008213987.tif 000002
【特許請求の範囲】
【請求項１】
シート状媒体を収納する媒体収納部と、
シート状媒体を前記媒体収納部内へ送り込むための送り込みローラと、
シート状媒体を前記送り込みローラに押し付けるための押さえローラとを有し、
前記送り込みローラは、ローラ本体と、当該ローラ本体の両端に同軸状態に形成され、当該ロータ本体よりも大きな径の大径部分とを備えており、
前記送り込みローラの前記ローラ本体に前記押さえローラが押し付けられていることを特徴とする媒体収納装置。
【請求項２】
前記押さえローラは、そのローラ長が前記ローラ本体よりも短く、そのローラ径が前記ローラ本体よりも小さいことを特徴とする請求項１に記載の媒体収納装置。
【請求項３】
前記送り込みローラの前記大径部分には、その円周方向に沿って所定の間隔で突起が形成されていることを特徴とする請求項１または２に記載の媒体収納装置。
【請求項４】
前記押さえローラは、その軸線方向の中央から両端に向けてローラ径が漸減していることを特徴とする請求項１ないし３のいずれかの項に記載の媒体収納装置。
【請求項５】
前記押さえローラは、回転軸と、この回転軸に間隔を開けて同軸状に取り付けられている複数個の押さえローラ本体とを備えており、
これら押さえローラ本体における両側の押さえローラ本体の外側端面間の距離が、前記送り込みローラの前記ローラ本体部分のローラ長よりも短いことを特徴とする請求項１ないし４のうちのいずれかの項に記載の媒体収納装置。
【請求項６】
シート状媒体を搬送する搬送路と、
この搬送路に沿って搬送されるシート状媒体に担持されている情報を読み取るための情報読取手段と、
前記搬送路から排出される情報読取後のシート状媒体を収納するための媒体収納装置とを有し、
当該媒体収納装置は請求項１ないし５のうちのいずれかの項に記載の媒体収納装置であることを特徴とする媒体処理装置。
【発明の詳細な説明】
【技術分野】
【０００１】
本発明は、小切手処理装置に搭載される小切手収納装置等として用いられる、担持情報の読取処理、印刷処理などの処理が終了した後のシート状媒体を受け入れて収納するための媒体収納装置に関する。
【背景技術】
【０００２】
銀行などの金融機関においては、持ち込まれた小切手、手形などの小切手類（有価証券類）を小切手読取装置に投入して、表面画像および磁気インク文字を読み取り、読取結果に応じて小切手類の仕分け作業などを行っている。表面画像および磁気インク文字の読み取りは、小切手読取装置の搬送路を小切手が搬送される間に行なわれ、情報の読取が終了した小切手は、搬送路の出口部分に形成された小切手収納部に収納される。小切手収納部は細長い小切手の形状に対応した細長い箱型をしており、搬送されてきた小切手は、その一方の端側に配置された送り込みローラによって小切手収納部内へ送り出されて、収納される。このような小切手読取装置は特許文献１に開示されている。
【特許文献１】特開２００４−２０６３６２号公報
【発明の開示】
【発明が解決しようとする課題】
【０００３】
ここで、小切手は、細長い縦溝によって規定される搬送路に沿って立った状態で搬送されながら担持情報の読取などの処理が行われ、処理後の小切手は立った状態のまま送り込みローラによって小切手収納部に送り込まれ、そこに収納される。小切手収納部は、垂直ガイド面と、送り込まれた小切手を当該垂直ガイド面に押し付けるための押し付け板が配置されている。立った状態のままで送り込みローラによって小切手収納部に送り込まれる小切手は、押し付け板を押し退けながら、すでに収納されている小切手と押し付け板の間に入り込む。このようにして、小切手収納部に送り込まれた小切手は、垂直ガイド板と押し付け板の間に立った状態のままで重なった状態で収納される。
【０００４】
したがって、小切手を小切手収納部に送り込む際には、押し付け板との間で摺動負荷が発生する。また、既に送り込まれている小切手の表面との間で摺動負荷が発生する。このため、薄い小切手の場合や腰の弱い小切手の場合には、送り込みローラと、これに押し付けられている押さえローラの挟み込み位置から送り込まれた小切手の先端側の部分が、このような摺動負荷に耐えられずに折れ曲がり、あるいは撓みができることがある。この状態になると、送り込みローラの挟み込み位置から小切手の後端が通過し終えても、当該小切手の先端側の部分が垂直ガイド板および押し付け板の間の収納位置に完全に収納された状態にならず、送り込みローラの挟み込み位置との間でジャミング状態に陥ってしまう。
【０００５】
本発明の課題は、このような点に鑑みて、薄いシート状媒体、腰の弱いシート状媒体であっても確実に収納位置に送り込むことのできる媒体収納装置を提案することにある。
【課題を解決するための手段】
【０００６】
上記の課題を解決するために、本発明の媒体収納装置は、
シート状媒体を収納する媒体収納部と、
シート状媒体を前記媒体収納部内へ送り込むための送り込みローラと、
シート状媒体を前記送り込みローラに押し付けるための押さえローラとを有し、
前記送り込みローラは、ローラ本体と、当該ローラ本体の両端に同軸状態に形成され、当該ローラ本体よりも大きな径の大径部分とを備えており、
前記押さえローラは、そのローラ長が前記ローラ本体よりも短く、そのローラ径が前記ローラ本体よりも小さく、
前記送り込みローラの前記ローラ本体に前記押さえローラが押し付けられていることを特徴としている。また、前記押さえローラは、そのローラ長が前記ローラ本体よりも短く、そのローラ径が前記ローラ本体よりも小さいものを用いることができる。
【０００７】
本発明では、送り込みローラの両端には大径部分が形成されており、これらの間のローラ本体に、これより小径の押さえローラが押し付けられている。これら送り込みローラおよび押さえローラによるシート状媒体の挟み込み位置を通過するシート状媒体は、小径で短い押さえローラによって「く」の字状に面外方向に折り曲げられた状態で媒体収納部に向けて送り込まれる。このように面外方向に「く」の字状に折り曲げられることにより、シート状媒体の面外方向の剛性が高まり、所謂、腰ができる。したがって、媒体収納部に既に収納されているシート状媒体との摩擦などによって生ずる負荷が作用しても、ジャミング状態に陥ることなく、シート状媒体を媒体収納部に確実に送り込むことができる。
【０００８】
ここで、前記送り込みローラの前記大径部分に、その円周方向に沿って所定の間隔で突起を形成しておけば、当該突起が送り込まれるシート状媒体の後端に機械的に係合して、シート状媒体の送り込み動作を確実に行うことができる。
【０００９】
また、前記押さえローラとしては、その軸線方向の中央から両端に向けてローラ径が漸減している形状のもの、たとえば、樽形のものを用いることもできる。
【００１０】
さらに、前記押さえローラとして、回転軸に間隔を開けて同軸状に取り付けられている複数個の押さえローラ本体を備えた構成のものを用いることができる。この場合には、これらの押さえローラ本体における両側に位置している押さえローラ本体の外側端面間の距離が、前記送り込みローラの前記ローラ本体部分のローラ長よりも短くなるようにしておけばよい。
【００１１】
次に、本発明は媒体処理装置に関するものであり、シート状媒体を搬送する搬送路と、この搬送路に沿って搬送されるシート状媒体に担持されている情報を読み取るための情報読取手段と、前記搬送路から排出される情報読取後のシート状媒体を収納するための媒体収納装置とを有し、当該媒体収納装置が上記構成の媒体収納装置であることを特徴としている。
【００１２】
本発明の媒体処理装置では、処理済みのシート状媒体をジャミングさせることなく、確実に媒体収納装置に収納することができる。よって、シート状媒体の処理動作を効率良く行うことができる。
【発明の効果】
【００１３】
本発明によれば、シート状媒体は、送り込みローラおよび押さえローラによる挟み込み位置を通過する際に、「く」の字状に折り曲げられ、面外方向の剛性が高い状態（腰の強い状態）で媒体収納部に送り込まれる。したがって、薄いシート状媒体、腰の弱いシート状媒体であっても確実に媒体収納部に送り込み、そこに収納することができる。
【発明を実施するための最良の形態】
【００１４】
以下に、図面を参照して、本発明を適用した媒体収納装置を備えた小切手処理装置の実施の形態を説明する。
【００１５】
（全体構成）
図１は本実施の形態に係る小切手処理装置の外観斜視図であり、図２はその平面図である。小切手処理装置１は、本体ケース２と、この上側に被せた蓋ケース３とを備えており、この内部に各部品が組み込まれた構成となっている。蓋ケース３には細幅の垂直溝からなる小切手４（シート状媒体）の搬送路５が形成されている。搬送路５は上から見た場合に全体としてＵ形状をしており、直線状の上流側搬送路部分６と、これに連続する湾曲状搬送路部分７と、これに連続する僅かに屈曲した下流側搬送路部分８とを備えている。
【００１６】
上流側搬送路部分６の上流端は広幅の垂直溝からなる小切手挿入部９に連通している。下流側搬送路部分８の下流端は小切手収納装置１０に連通している。小切手収納装置１０は、下流側搬送路部分８の下流端から左右に分岐している分岐路１０ａ、１０ｂと、これらに連通している広幅の垂直溝からなる第１および第２小切手収納部１１、１２とを備えている。
【００１７】
読取対象の小切手４は、その表面４ａの下端部分に磁気インク文字４Ａが印刷されている。また、表面４ａには、所定の模様の背景に、金額、振出人、番号、サインなどが記載されており、裏面４ｂには裏書き欄などが設けられている。
【００１８】
図３は小切手処理装置１の内部機構を示す説明図である。この図に示すように、小切手挿入部９には、ここに積層状態で挿入された小切手４を搬送路５に向けて送り出すための繰り出しローラ１３と、小切手４を繰り出しローラ１３に押し付けるための押し付け部材１４とが配置されている。また、繰り出しローラ１３によって繰り出された小切手４を搬送路５に送り出すための送り出し通路１５には、１枚ずつに分離して搬送路５に送り出すための分離機構として、分離パッド１６と、分離ローラ１７およびリタードローラ１８からなる分離ローラ対が配置されている。繰り出しローラ１３、分離ローラ１７および押し付け部材１４は、例えば送り出しモータ１９によって駆動されるようになっている。
【００１９】
次に、小切手４を搬送路５に沿って搬送する搬送機構は、搬送モータ２１と、この搬送モータ２１の回転軸に取り付けた駆動ローラ２２と、搬送路５に沿って配置されている搬送ローラ３１〜３７と、各搬送ローラ３１〜３７に押し付けられて連れ回りする押さえローラ４１〜４６および第２送り込みローラ４７とを備えている。第２送り込みローラ４７の回転は、伝達歯車４８を介して、第１送り込みローラ４９に伝達されるようになっている。搬送モータ２１の回転は無端ベルト２３を介して各搬送ローラ３１〜３７に伝達されるようになっている。
【００２０】
搬送ローラ３１〜３４は、上流側搬送路部分６における上流端、その中程の位置、および湾曲状搬送路部分７との境界位置にそれぞれ配置されている。搬送ローラ３５は湾曲状搬送路部分７における下流側の位置に配置されている。搬送ローラ３６は、下流側搬送路部分８における中程の位置に配置されており、搬送ローラ３７は第２小切手収納部１２の手前に配置されている。第１送り込みローラ４９は第１小切手収納部１１の手前に配置されている。
【００２１】
上流側搬送路部分６における搬送ローラ３１、３２の間には、磁気インク文字着磁用の磁石５１が配置されている。搬送ローラ３２、３３の間には、表面画像読取手段としての表面側コンタクトイメージスキャナ５２および裏面画像読取手段としての裏面側コンタクトイメージスキャナ５３が配置されている。搬送ローラ３３、３４の間には、磁気インク文字読取用の磁気ヘッド５４が配置されている。
【００２２】
下流側搬送路部分８における搬送ローラ３６の下流側には印刷機構５６が配置されている。印刷機構５６は小切手４に押圧される印刷位置と、この印刷位置から後退した待機位置の間を、駆動用モータ（図示せず）によって移動可能となっている。印刷機構５６は、プランジャにより押されて小切手４に印刷するようなスタンプ機構でもよい。
【００２３】
下流側搬送路部分８の下流端から分岐している分岐路１０ａ、１０ｂには、不図示の駆動モータによって切り替え操作される切り替え板６６が配置されている。切り替え板６６によって、小切手４は第１、第２小切手収納部１１、１２の一方に排出される。
【００２４】
（小切手処理動作）
小切手処理装置１における小切手４の処理動作の概要を説明する。小切手挿入部９に挿入された小切手４は繰り出しローラ１３によって送り出し通路１５に送り出されて、ここを経由して搬送路５の上流側搬送路部分６に一枚ずつ送り出される。上流側搬送路部分６に送り出された小切手４は、表面側コンタクトイメージスキャナ５２および裏面側コンタクトイメージスキャナ５３によってその表面画像および裏面画像が読み取られながら搬送される。次に、磁気ヘッド５４によってその磁気インク文字が読み取られながら搬送される。
【００２５】
表面側コンタクトイメージスキャナ５２、裏面側コンタクトイメージスキャナ５３および磁気ヘッド５４による読取が正常に行われた小切手４については、下流側搬送路部分８に配置されている印刷機構５６によって、その表面に「電子決済済み」などの印刷が行われ、小切手収納装置１０の第１小切手収納部１１の側に排出される。読取が正常に行われなかった小切手４は、印刷機構５６による印刷を行うことなく、小切手収納装置１０の第２小切手収納部１２の側に排出される。
【００２６】
（小切手収納装置）
図４、図５および図６は小切手処理装置１の小切手収納装置１０を取り出して示す図である。図４は小切手収納装置１０の平面図であり、図５（ａ）は小切手収納装置１０を後側から見た場合の斜視図であり、図５（ｂ）は小切手収納装置１０を小切手送り込み側から見た場合の斜視図であり、図６は小切手収納装置１０を裏面側から見た場合の斜視図である。
【００２７】
小切手収納装置１０は、分岐路１０ａ、１０ｂを介して下流側搬送路部分８に連通している第１および第２小切手収納部１１、１２と、切り替え板６６とを備えている。また、分岐路１０ａを経由して第１小切手収納部１１に小切手４を送り込むための第１送り込みローラ４９と、分岐路１０ｂを経由して第２小切手収納部１２に小切手４を送り込むための第２送り込みローラ４７とを備えている。第２送り込みローラ４７は搬送ローラ３７に押し付けられて連れ回りするようになっており、第２送り込みローラ４７の回転が、伝達歯車４８を介して第１送り込みローラ４９に伝達されるようになっている。
【００２８】
第１小切手収納部１１は、一定の間隔で対峙している左右の垂直側壁７１、７２と、前側垂直端壁７３とを備え、上方および後方が開口している細長い箱型形状をしている。内側の垂直側壁７１と前側垂直端壁７３の間には小切手４が送り込まれる小切手送り込み口７６が形成されている。左右の垂直側壁７１、７２の間には、送り込まれた小切手４を垂直側壁７１に押し付けるための長方形の押さえ板７４が配置されている。押さえ板７４は例えばプラスチック製であり、下端部分に取り付けられた捻りコイルバネ７５の付勢力によって常に垂直側壁７１の側に押し付けられている。
【００２９】
第１送り込みローラ４９は、第１小切手収納部１１の小切手送り込み口７６の手前側に配置されている。第１送り込みローラ４９はローラ本体４９ａを備え、このローラ本体４９ａの両端には、ローラ本体４９ａよりも大径の歯車部分４９ｂが同軸状に形成されている。ローラ本体４９ａには、その軸線方向の中央部分に、押さえローラ８０が押し付けられて連れ回りするようになっている。
【００３０】
ここで、図７（ａ）は第１送り込みローラ４９および押さえローラ８０を取り出して示す斜視図であり、図７（ｂ）は押さえローラ８０のみを示す斜視図である。これらの図も参照して説明すると、押さえローラ８０は、回転軸８１と、この回転軸８１に一定の間隔を開けて同軸状に取り付けた２つの小径ローラ８２、８３とを備えている。回転軸８１の上下の端は板ばねからなる支持板８４によって支持され、支持板８４によって小径ローラ８２、８３はローラ本体４９ａに押し付けられている。２つの小径ローラ８２、８３は同一径であり、その径は、第１送り込みローラ４９のローラ本体４９ａの径よりも小さい。また、小径ローラ８２、８３の外側端面間の距離は、ローラ本体４９ａよりも短い。この結果、図８に示すように小切手４の断面形状を「く」の字にしながら、安定的に搬送することができる。
【００３１】
２つの小径ローラ８２、８３の間には、回転軸８１を中心として第１送り込みローラ４９へ接近する方向および離れる方向へ回動可能な押さえレバー８５が取り付けられている。押さえレバー８５は、ローラ本体４９ａの外周面部分に対応する凹円弧形状の押さえ面８５ａを備えている。当該押さえ面８５ａは、第１送り込みローラ４９と押さえローラ８０による小切手挟み込み位置４９Ａから９０度の角度範囲で、ローラ本体４９ａの外周面部分に対峙している。この構成の押さえレバー８５は、押さえローラ８０の回転軸８１に取り付けられた捻りコイルバネ８６によって第１送り込みローラ４９に向けて付勢されている。
【００３２】
次に、第１小切手収納部１１の内側の垂直側壁７１は、第１送り込みローラ４９および押さえローラ８０による小切手挟み込み位置４９Ａに対して、第１送り込みローラ４９の側に位置しており、これらのローラ４９、８０による小切手送り込み方向８０ａに平行に延びている。この垂直側壁７１と小切手挟み込み位置４９Ａとの間には、当該小切手送り込み位置４９Ａを通過して送り込まれる小切手４を垂直側壁７１に向けて案内するための傾斜案内壁７１ａが形成されている。
【００３３】
次に、第２小切手収納部１２も基本構成は第１小切手収納部１１と同様である。すなわち、第２小切手収納部１２は内部に押さえ板９４を備えており、その小切手送り込み側の端には小切手送り込み口９６が形成されており、この小切手送り込み口９６の手前には第２送り込みローラ４７が配置されている。第２送り込みローラ４７はローラ本体４７ａと歯車部分４７ｂとを備えている。ローラ本体４９ａには押さえローラ９０が押し付けられており、押さえローラ９０は、回転軸９１と、この上下の端に同軸状に取り付けた２つの小径ローラ９２、９３とを備えている。２つの小径ローラ９２、９３の間には、押さえレバー９５が取り付けられている。また、小切手送り込み口９６には角９６ｂを有する傾斜案内壁９６ａが形成されている。
【００３４】
これらの押さえ板９４、第２送り込みローラ４７、押さえローラ９０、押さえレバー９５および傾斜案内壁９６ａは、それぞれ、第１小切手収納部１１の押さえ板７４、第１送り込みローラ４９、押さえローラ８０、押さえレバー８５および傾斜案内壁７１ａと同様の構成となっているので、それらの説明は省略する。
【００３５】
（小切手の収納動作）
図８は小切手送り込み動作中における小切手収納装置１０を小切手送り込み側から見た場合の正面図であり、図９（ａ）〜（ｄ）は小切手送り込み動作中における小切手収納装置１０を示す平面図である。これらの図を参照して小切手４を小切手収納装置１０に送り込む動作を説明する。なお、第１小切手収納部１１への小切手４の送り込み動作と第２小切手収納部１２への小切手排出動作は同一なので、第１小切手収納部１１への小切手送り込み動作のみを説明する。
【００３６】
まず、小切手４が分岐路１０ａに搬送されてくると、回転している第１送り込みローラ４９と押さえローラ８０との間に小切手４が挟み込まれ、第１小切手収納部１１に向けて小切手４が送り込まれる。小切手４がこれらに挟み込まれた状態では、押さえローラ８０が小切手４の裏面４ｂの略中央部分をローラ本体４９ａへと押し付け、小切手４の表面４ａの上下の端が歯車部分４９ｂに当り、ローラ本体４９ａの外周面から離れる方向に撓む。この結果、図８に示すように、小切手４の断面形状は「く」の字になる。このため、小切手４は面外方向の剛性が高まり、腰ができて折れ曲がりにくい状態で送り込まれる。
【００３７】
小切手４は「く」の字に折れ曲がった状態で送り込まれると、その先端部分４ｃが傾斜案内壁７１ａに沿って案内されて、小切手送り込み方向８０ａに対して斜めの方向に進む。そして、図９（ａ）に示すように、小切手４の裏面４ｂが傾斜案内壁７１ａの角７１ｂに接触し、当該角７１ｂによって側方から支えられた状態で押さえ板７４を押し出しながら、押さえ板７４と垂直側壁７１の間に送り込まれる。
【００３８】
ここで、小切手４は、その後端部分４ｄが第１送り込みローラ４９と押さえローラ８０による小切手挟み込み位置４９Ａを通過し終えた後においても、図９（ｂ）に示すように、押さえレバー８５によってその後端部分４ｄが第１送り込みローラ４９の側に押し付けられている。このため、小切手４の後端部分４ｄが第１送り込みローラ４９の両端の歯車部分から外れることがない。よって、図９（ｃ）、図９（ｄ）に示すように、小切手４は第１送り込みローラ４９によって確実に第１小切手収納部１１の側に送り込まれる。
【００３９】
以上説明したように、本例の小切手収納装置１０においては、小切手４が第１送り込みローラ４９および押さえローラ８０による小切手挟み込み位置４９Ａを通過している間は、これらによって、小切手４は「く」の字状に折り曲げられた状態で小切手収納部１１に送り込まれる。すなわち、小切手４は面外剛性が高く、「腰」のできた状態で小切手収納部１１に送り込まれる。したがって、小切手４の先端部分と押さえ板７４の間に生ずる摺動作負荷、あるいは、小切手４の先端部分と既に収納されている小切手との間に生ずる摺動作負荷によって、送り込まれる小切手４の先端部分が座屈して、垂直側壁７１と、既に収納されている小切手４の間に送り込まれずに、ジャミング状態に陥ることを確実に回避できる。
【００４０】
（その他の実施の形態）
なお、上記の例では、押さえローラ８０は回転軸に２個のローラ本体が取り付けられた構造のものであるが、単一のローラ本体のみを備えた構造であってもよい。また、押さえローラ８０は、そのローラ径が、軸線方向の中心において最も大きく、両端に向けて漸減した形状のものであってもよい。例えば、樽形状の押さえローラを用いてもよい。
【００４１】
また、上記の例は本発明を小切手処理装置の小切手収納装置として適用したものであるが、本発明は、小切手以外のシート状媒体を収納するための媒体収納装置にも同様に適用可能なことは勿論である。
【図面の簡単な説明】
【００４２】
【図１】本発明を適用した小切手処理装置の外観斜視図である。
【図２】小切手処理装置の平面図である。
【図３】小切手処理装置の内部構造を示す説明図である。
【図４】小切手収納装置の平面図である。
【図５】小切手収納装置を後側および前側から見た場合の斜視図である。
【図６】小切手収納装置を裏面側から見た場合の斜視図である。
【図７】第１送り込みローラと押さえローラを示す斜視図、および押さえローラのみを示す斜視図である。
【図８】小切手収納装置を小切手送り込み側から見た場合の正面図である。
【図９】小切手送り込み動作を示す小切手収納装置の平面図である。
【符号の説明】
【００４３】
１  小切手処理装置、２  本体ケース、３  蓋ケース、４  小切手、５  搬送路、６  上流側搬送路部分、７  湾曲状搬送路部分、８  下流側搬送路部分、９  小切手挿入部、１０  小切手収納装置、１０ａ，１０ｂ  分岐路、１１  第１小切手収納部、１２  第２小切手収納部、１３  繰り出しローラ、１４  押し付け部材、１５  送り出し通路、１６  分離パッド、１７  分離ローラ、１８  リタードローラ、１９  送り出しモータ、２１  搬送モータ、２２  駆動ローラ、２３  無端ベルト、２４〜２７  ガイドローラ、３１〜３７  搬送ローラ、４１〜４６  押さえローラ、４７  第２送り込みローラ、４７ａ，４９ａ  ローラ本体、４７ｂ，４９ｂ  歯車部分、４９Ａ  小切手挟み込み位置、４８  伝達歯車、４９  第１送り込みローラ、５１  磁石、５２  表面側コンタクトイメージスキャナ、５３  裏面側コンタクトイメージスキャナ、５４  磁気ヘッド、５６  印刷機構、７１，７２  垂直側壁、７３  垂直端壁、７１ａ，９６ａ  傾斜案内壁、７１ｂ，９６ｂ  角、７４，９４  押さえ板、７６，９６  小切手送り込み口、８０ａ  小切手送り込み方向、８０，９０  押さえローラ、８２，８３，９２，９３  小径ローラ、８５，９５  押さえレバー、８５ａ  押さえ面、８４  支持板
【図１】
2008213987.tif 000003
【図２】
2008213987.tif 000004
【図３】
2008213987.tif 000005
【図４】
2008213987.tif 000006
【図５】
2008213987.tif 000007
【図６】
2008213987.tif 000008
【図７】
2008213987.tif 000009
【図８】
2008213987.tif 000010
【図９】
2008213987.tif 000011